(57)【要約】【課題】 一般家庭、スーパー、レストランなどの排出事業所から排出された食物残渣から、有機質肥料、飼料及び固形燃料として利用可能なリサイクル製造物を製造し、生産者において有効活用する。【解決手段】 排出事業所で生ゴミが、小型の生ゴミ処理機により含水率１５％以下に乾燥処理されたもの、又は大型の生ゴミ処理機で６０℃から１６０℃で撹拌されながら含水率３０％以下に乾燥処理され４０℃以下に温度調整された乾燥資源が、リサイクルセンターで、油分分解酵素を含む各種酵素、有効微生物類、又はバイオイオンバランス（登録商標）を撹拌混合して製造され、生産者において有機質肥料、飼料及び固形燃料として使用される。【選択図】 図２
0003156745.tif 000002
【実用新案登録請求の範囲】
【請求項１】
排出事業所において生ゴミが乾燥されて乾燥資源とされ、該乾燥資源がリサイクルセンターに送られ、リサイクルセンターにおいて粉砕され、油分分解酵素を含む各種酵素、有効微生物類、又はバイオイオンバランス（登録商標）が添加されて撹拌混合されて製造される有機質肥料、飼料及び固形燃料として利用可能なリサイクル製造物であって、
前記乾燥資源は、生ゴミが小型の生ゴミ処理機により含水率１５％以下に乾燥処理されたもの、又は生ゴミが大型の生ゴミ処理機で６０℃から１６０℃で撹拌されながら含水率３０％以下に乾燥処理され４０℃以下に温度調整されて製造されたものであり、
前記バイオイオンバランス（登録商標）は、乳酸菌、酵母菌、光合成菌及び放線菌から成る群から選択された１又は２以上の菌が作り出す生理活性物質に、海洋若しくは鉱物ミネラルの総合ミネラル、アミノ酸、核酸、キトサン、ヒューマス又は海草ゲルを加えて熟成させて得られた農業用土壌改良微生物資材であることを特徴とする有機質肥料、飼料及び固形燃料として利用可能なリサイクル製造物。
【請求項２】
前記乾燥資源は、前記粉砕される際に、有機カルシウム、米ヌカ、ベントナイト、ゼオライト、ブルーサイトト又はマグネシウムを混入して成分調整及び水分調整されているものであることを特徴とする請求項１記載の有機質肥料、飼料及び固形燃料として利用可能なリサイクル製造物。                                                 
【請求項３】
前記乾燥資源は、前記撹拌混合される際に、総合ミネラル、特殊糖蜜、マグネシウム、カルシウム又はケイ酸質資材を添加して成分調整がされ、塩分の中和又はｐＨの調整がされているものであることを特徴とする請求項１又は２記載の有機質肥料、飼料及び固形燃料として利用可能なリサイクル製造物。
【請求項４】
前記撹拌混合されてから粉状、粒状、固形状又はペレット状に成形されたものであることを特徴とする請求項１〜３のいずれかに記載の有機質肥料、飼料及び固形燃料として利用可能なリサイクル製造物。
【請求項５】
前記乾燥資源は、生ゴミを乾燥させることにより、重量及び体積が乾燥前の５分の１から７分の１以下にまで減らされており、宅配便を使用してリサイクルセンターに回収可能であることを特徴とする請求項１〜４のいずれかに記載の有機質肥料、飼料及び固形燃料として利用可能なリサイクル製造物。
【考案の詳細な説明】
【技術分野】
【０００１】
本考案は、一般家庭、スーパー、ホテル、レストラン、給食センター又は病院などから排出される食物残渣から得られる有機質肥料、飼料及び固形燃料として利用可能なリサイクル製造物に関する考案である。
【背景技術】
【０００２】
産業の発展に伴う物の使い捨てにより、地球のあちこちがゴミ捨て場と化し、大地、水、空気が次々と汚染されていったことが問題となり、環境に負担を掛けない循環型社会が求められている。
【０００３】
従来における食物残渣などの生ゴミの処分方法としては、一般家庭においては、市町村などの自治体がゴミ収集車により定期的に収集し、ゴミ処理場に集めてまとめて処分したり、コンポスト等を使用して各家庭において各自処分したりしていた。
【０００４】
また、スーパー、ホテル、レストラン、給食センター又は病院などの施設においては、一般家庭と同様にゴミ収集車に収集してもらったり、各施設で独自に設けた焼却炉などで処分したりしていた。
【０００５】
食物残渣を焼却炉で焼却する際は、有害なダイオキシンの発生を防止する必要がある。焼却炉にダイオキシンの対策が取れていないと、うかつに焼却することもできず、ゴミを長期間溜め込むことになり、許容量の問題にも発展する。
【０００６】
食物残渣をコンポスト等で処分する際は、夏場等にうじ虫などが発生したり、ひどい悪臭が出るなどの問題もある。食物残渣に対して適した処分が出来ない状態のままであると、ゴミの不法投棄にも繋がる。
【０００７】
特許文献１に記載の発明のように、会員の出した食物残さをリサイクルセンターにおいて有機質肥料又は土壌改良材にして契約農家に提供することで再利用する食物残さ資源リサイクルシステムという発明も公開されている。
【先行技術文献】
【特許文献】
【０００８】
【特許文献１】特開２００２−２０３０３８号公報
【考案の概要】
【考案が解決しようとする課題】
【０００９】
従来は、食物残渣を肥料として使用する場合、腐ると有毒ガスの発生で植物の根に障害が出る可能性があった。また、食物残渣を飼料として使用する場合は、食物残渣中の油分が酸化し、動物の飼料としては、必ずしも適切ではなく、油分が酸化せずに長期間保管できる状態を保つことが要求されていた。
【００１０】
そこで、本考案は、排出事業所から排出される食物残渣を資源として有効活用するとともに、環境性の向上を図ることを目的とし、肥料として使用しても土の汚染など生じることなく適切な養分を食物に供給可能であり、また飼料として使用しても動物に害を与えることなく十分な栄養分を供給可能な、食物残渣から製造される肥料及び飼料を実現することを課題とする。
【課題を解決するための手段】
【００１１】
本考案は上記課題を解決するために、排出事業所において生ゴミが乾燥されて乾燥資源とされ、該乾燥資源がリサイクルセンターに送られ、リサイクルセンターにおいて粉砕され、油分分解酵素を含む各種酵素、有効微生物類、又はバイオイオンバランス（登録商標）等が添加されて撹拌混合されて製造される有機質肥料、飼料及び固形燃料として利用可能なリサイクル製造物であって、前記乾燥資源は、生ゴミが小型の生ゴミ処理機により含水率１５％以下に乾燥処理されたもの、又は生ゴミが大型の生ゴミ処理機で６０℃から１６０℃で撹拌されながら含水率３０％以下に乾燥処理され４０℃以下に温度調整されて製造されたものであり、前記バイオイオンバランス（登録商標）は、乳酸菌、酵母菌、光合成菌及び放線菌から成る群から選択された１又は２以上の菌が作り出す生理活性物質に、海洋若しくは鉱物ミネラルの総合ミネラル、アミノ酸、核酸、キトサン、ヒューマス又は海草ゲルを加えて熟成させて得られた農業用土壌改良微生物資材であることを特徴とする有機質肥料、飼料及び固形燃料として利用可能なリサイクル製造物を提供する。
【００１２】
前記乾燥資源は、前記粉砕される際に、有機カルシウム、米ヌカ、ベントナイト、ゼオライト、ブルーサイトト又はマグネシウムを混入して成分調整及び水分調整されているものであることが好ましい。
【００１３】
前記乾燥資源は、前記撹拌混合される際に、総合ミネラル、特殊糖蜜、マグネシウム、カルシウム又はケイ酸質資材を添加して成分調整がされ、塩分の中和又はｐＨの調整がされているものであることが好ましい。                         
【００１４】
前記撹拌混合されてから粉状、粒状、固形状又はペレット状に成形されたものであることが好ましい。
【００１５】
前記乾燥資源は、生ゴミを乾燥させることにより、重量及び体積が乾燥前の５分の１から７分の１以下にまで減らされており、宅配便を使用してリサイクルセンターに回収可能であることが好ましい。
【考案の効果】
【００１６】
本考案に係る有機質肥料、飼料及び固形燃料として利用可能なリサイクル製造物は、以下のような効果を奏する。
（１）家庭、食堂、給食施設等の排出事業所から排出される食物残渣を乾燥し乾燥資源として収集され、この乾燥資源から有機質肥料、飼料及び固形燃料として利用可能なリサイクル製造物として製造され、農作物や畜産物、水産物の生産に利用され、さらにその生産物は、排出事業所の需要に供せられるので、資源の有効活用、環境性の向上が図れるだけでなく、現在重要な課題とされている環境問題、食糧の自給率向上の一助となるだけでなく、農畜産関連事業者の経営向上に寄与する。
【００１７】
（２）食物残渣を乾燥し乾燥資源に、油分分解酵素を含む各種酵素、有効微生物類、又はバイオイオンバランス（登録商標）等が添加されて製造されたものであり、肥料として使用した場合、乾燥資源に水分を加えると生の状態に戻り、腐ると有毒ガスの発生で植物の根に障害が出る可能性があるが、油分分解酵素を含む各種酵素、有効微生物類、又はバイオイオンバランス（登録商標）等が混合されているため、土の中で分解発酵へ導くことができる。また、バイオイオンバランス（登録商標）を添加すると、土壌汚染や水質汚染の軽減などの効果もあり、ＢＯＤ（生物化学的酸素要求量）やＣＯＤ（化学的酸素要求量）の数値も大幅に下げることもできる。
【００１８】
（３）飼料として使用した場合、飼料添加物として１％から２０％一般飼料と混合することができる。バイオイオンバランス（登録商標）による乳酸発酵により、動物の腸内菌を活性化させ、新陳代謝が盛んになることで、肉質や産卵が良くなり、排泄物の臭いも改善される。また、飼料中の油分は、バイオイオンバランス（登録商標）の酵素反応でゆっくり分解するため、安心して使用することができる。
【図面の簡単な説明】
【００１９】
【図１】本考案に係る有機質肥料、飼料及び固形燃料として利用可能なリサイクル製造物の適用される食物残渣資源リサイクルを説明する全体図である。
【図２】本考案に係る有機質肥料、飼料及び固形燃料として利用可能なリサイクル製造物の製造を説明する図である。
【考案を実施するための形態】
【００２０】
本考案に係る有機質肥料、飼料及び固形燃料として利用可能なリサイクル製造物を実施するための形態を実施例に基づいて図面を参照して説明する。
【００２１】
本考案は、家庭、食堂、給食施設等の排出事業所から排出される食物残渣が乾燥された乾燥資源から製造され、有機質肥料、飼料及び固形燃料として利用可能なリサイクル製造物に係る考案である。即ち、本考案のリサイクル製造物（「リサイクル製造品」と称してもよい）は、有機質肥料としても、また飼料としても、さらには固形燃料としても利用可能な物であり、換言すると、有機質肥料、飼料及び固形燃料である。
【００２２】
本考案に係る有機質肥料、飼料及び固形燃料として利用可能なリサイクル製造物は、排出事業所から排出される食物残渣資源から製造され、農作物や畜産物、水産物の生産に利用され、さらにその生産物は、排出事業所の需要に供せられる、という食物残渣残渣資源のリサイクルの一環に位置づけられものである。よって、まず本考案に係る有機質肥料、飼料及び固形燃料として利用可能なリサイクル製造物を説明する前に、その前提である食物残渣資源リサイクルを説明する。
【００２３】
（本考案の適用される食物残渣資源リサイクル）
図１は、本考案に係る有機質肥料、飼料及び固形燃料として利用可能なリサイクル製造物の前提である食物残渣資源リサイクルを説明する全体図である。この食物残渣資源リサイクルは、主に、事務局２、排出事業所３、リサイクルセンター４及び生産者５（農業経営者、畜産業者、水産業者等）によって行われる。さらに、補助的に、販売代理店６及び提携機関７、さらには運送業者等が関わる。事務局２が全体の統括業務を行う。
【００２４】
この食物残渣資源リサイクルでは、排出事業所３が、生産物の消費により排出した食物残渣を生ゴミ処理機で乾燥資源にする。この乾燥資源を、リサイクルセンター４で有機質肥料、飼料及び固形燃料として利用可能な製造物として再資源化する。そして、このような有機質肥料、飼料及び固形燃料として利用可能な製造物を使用して、生産者５が、農産物、畜産物又は水産物の生産物を生産する。このように食物残渣資源リサイクルでは、排出事業所３から排出された食物残渣が有機質肥料、飼料及び固形燃料として利用可能な製造物として再資源化され、生産者５において使用されるというリサイクルが行われる。
【００２５】
本考案は、このような有機質肥料、飼料及び固形燃料として利用可能な製造物に関する。本考案の有機質肥料、飼料及び固形燃料として利用可能な製造物は、リサイクル過程において製造され、また使用されるものであるから、本考案及び本明細書では、「有機質肥料、飼料及び固形燃料として利用可能なリサイクル製造物」と称する。
【００２６】
排出事業所３、リサイクルセンター４及び生産者５は、それぞれが事務局２を通して、食物残渣資源リサイクルの構成員の加入者として加入登録し、事務局２を介して加入者網を構成することにより、加入者間、事務局２、販売代理店６、提携機関７等とのやり取りができるようになり、資源循環の中の一機関として、食物残渣資源リサイクルの利益を享受することができる。
【００２７】
さらに、食物残渣資源リサイクルを実施するそれぞれの者について、その実施内容を、以下、説明する。排出事業所３は、生産者５から購入した生産物を消費する場所で、家庭、企業、コンビニエンスストア、スーパー、ホテル、レストラン、食堂、学校給食センター、病院、老人ホーム等であり、食品を消費する大小様々な消費者が該当する。
【００２８】
排出事業所３では、生産物の消費により排出された食物残渣を分別し、販売代理店６から購入した生ゴミ処理機を使用して乾燥資源にする。生ゴミ処理機は単に乾燥生ゴミを乾燥処理するめの手段であるため、発酵プラントのような大規模型ではなく、コンパクトなものにすることができる。
【００２９】
食物残渣は、乾燥させることにより、重量及び体積が５分の１から７分の１以下にまで減らされる。また、乾燥しているので、食物残渣が腐って悪臭や液だれが生じたり、周囲にハエ等の虫が発生する心配もなく、食物残渣を新たに殺菌又は滅菌しなくても長期保管することができる。
【００３０】
さらに、乾燥しているため扱いが簡単であり、食物残渣の集荷については、一般家庭では宅配便を使用することができる。なお、宅配便には、消費生活協同組合などが独自に行う宅配便と、運送業者が業務として行う宅配便とがある。また、大規模な排出事業所３では自社便を利用するなど、排出事業所３に合わせて自由に選択することができる。
【００３１】
一般家庭において、消費生活協同組合などが独自に行う宅配便を利用し、定期的に野菜等の荷物を運んでもらうようにした場合、帰り便で乾燥資源を収集することもでき、手間の軽減となる。宅配便により定期的に運ばれる野菜等も、再資源化された有機質肥料、飼料及び固形燃料として利用可能なリサイクル製造物を使用して栽培又は飼育された生産物が届けられるので、環境保全型の資源循環を構築することができる。
【００３２】
食物残渣を乾燥処理した乾燥資源は、排出事業所３から運送業者によりリサイクルセンター４に運ばれる。加入者網内の乾燥資源を大規模排出事業所に集めて、まとめて収集することもできるし、収集頻度を毎日でなく数日置きに減らすこともできる。また、排出事業所３からは食物残渣をそのまま（生ゴミの状態のまま）収集し、大きな乾燥処理施設を備えた大規模排出事業所にまとめて乾燥処理して排出することもできる。
【００３３】
上記したとおり、乾燥資源は、生ゴミ収集車や宅配業者又は自社便業者等の運送業者により運送されるが、重量及び体積が乾燥前の５分の１から７分の１に減量されているため、毎日５台から７台の生ゴミ収集車で運んでいたものが、０．７台から１台で済んでしまう。排出事業所では、生ゴミを乾燥資源としてリサイクル用に排出することで、焼却炉で焼却する量も減らすことができ、全体的にコストの削減となり経済的である。
【００３４】
リサイクルセンター４は、乾燥資源を有機質肥料、飼料及び固形燃料として利用可能なリサイクル製造物へと再資源化する施設である。リサイクルセンター４では、再資源化するために、油分分解酵素を含む各種酵素、有効微生物類、又はバイオイオンバランス（登録商標）等を添加する。なお、それら以外の添加物の詳細については、後記する。有機質肥料、飼料及び固形燃料として利用可能なリサイクル製造物は、農業の分野では肥料として、畜産業又は水産業の分野では飼料として利用できる。
【００３５】
生産者５は、リサイクルセンター４で再資源化された有機質肥料、飼料及び固形燃料として利用可能なリサイクル製造物が提供される。生産者５は、農業、畜産業又は水産業のいずれの場合であっても、有機質肥料及び飼料を使用することにより、安全性及び栄養価が高く美味しい生産物を消費者に提供できるようになる。排出事業所３も一消費者として生産者５から生産物を購入し、資源の循環が起こる。
【００３６】
分別により有機質肥料及び飼料として利用できないものについても、固形燃料（例．農業用ハウスの暖房用の燃料等）として無駄なく利用することができる。なお、本考案に係るリサイクル製造物を使用して農産物を栽培することで、ＣＯ２の大幅な削減になり、カーボンオフセットやグリーンニューデールに対する価値が生まれる。
【００３７】
販売代理店６は、事務局２と提携し、排出事業所３に生ゴミ処理機を販売する。また、販売代理店６は、排出事業所３に対し、食物残渣資源リサイクルの紹介や食物残渣資源リサイクルにおける再資源化の理念及び排出基準の説明等をする。
【００３８】
販売代理店６は、排出事業所３の規模や食物残渣の質又は生ゴミ処理機の設置場所等に応じて、小型の生ゴミ処理機にするか、大型の生ゴミ処理機にするかなど、排出事業所３に一番合う生ゴミ処理機を導入できるように提案する。排出事業所３は、目的、状況又は条件に合った生ゴミ処理機の購入ができるようになる。
【００３９】
運送業者は、排出事業所３からリサイクルセンター４に乾燥資源を運送したり、リサイクルセンター４から生産者５に有機質肥料、飼料及び固形燃料として利用可能なリサイクル製造物を運送したり、生産者５から排出事業所３に生産物を運送する宅配又は自社便等の業者である。各運送における運送業者は、同一の業者を利用することもできるし、別々の業者を利用しても構わない。運送する物に応じて適した運送方法及び業者を選択することができる。
【００４０】
提携機関７は、事務局２と提携し、生産者５に有機質肥料及び飼料について栽培状況又は飼育状況における認証又は指導等を行う。農産物に関しては、肥料、土壌又は生産物の栄養分析など各種分析も行い、肥料のバランス等を調べた上で有機質肥料の使用について指導を行う。さらに提携機関７では、生産物の栄養分析や土壌の有害重金属又は残留農薬の検査を実施することで、消費者に対し安全性をアピールすることができる。
【００４１】
畜産物又は水産物に関しては、家畜の飼育状況を把握した上で、飼料に添加する割合を調整する。指導等により、全ての生産者５から良質の肉、乳、卵等を得ることができるようになる。
【００４２】
また、提携機関７は、栽培基準又は飼育基準などの生産基準を作成し、生産者５の対し認証を行うようにすることで、生産者５は安全性の高い生産物を生産することが義務付けられ、消費者の信頼も得ることもできる。
【実施例】
【００４３】
本考案に係る有機質肥料、飼料及び固形燃料として利用可能なリサイクル製造物の実施例を、図２でその製造過程を参照して、以下説明する。本考案に係る有機質肥料、飼料及び固形燃料として利用可能なリサイクル製造物は、排出事業所において生ゴミが乾燥されて乾燥資源とされ、リサイクルセンターに送られ、リサイクルセンターにおいてバイオイオンバランス（登録商標）を撹拌混合して製造され、有機質肥料、飼料及び固形燃料として利用されるものである。なお、乾燥された食物残渣は固形燃料化できるが、生ゴミの状態では燃料化して使用できない。
【００４４】
排出事業所３では、家庭等の小規模な排出事業所の場合は、生ゴミを小型の生ゴミ処理機を使用して、含水率１５％以下の乾燥資源として回収する。また、給食センター等の大規模な排出事業所３の場合は、生ゴミを大型の生ゴミ処理機を使用して６０℃から１６０℃で撹拌しながら温風処理及び熱処理して含水率３０％以下にした乾燥資源を回収し、回収後に乾燥資源の温度を、菌による発酵防止のために４０℃以下にする。
【００４５】
そして、乾燥資源は、リサイクルセンター４に搬送され、リサイクルセンター４では、異物チェック工程、混合破砕工程、撹拌混合工程及び成形工程により、有機質肥料、飼料及び固形燃料として利用可能なリサイクル製造物の製造を行う。
【００４６】
異物チェック工程では、乾燥資源に混ざっている樹脂、金属、その他有機質肥料、飼料及び固形燃料の利用に不適切な物をチェックして排除する。
【００４７】
混合破砕工程では、乾燥資源の形が大きい場合は粉砕機等によりを粉々にし、水分の多い前記乾燥資源には有機カルシウム、米ヌカ、ベントナイト、ゼオライト、ブルーサイトト又はマグネシウム等を混入して成分調整を兼ねて水分調整する。
【００４８】
撹拌混合工程では、混合破砕工程後に、バイオイオンバランス（登録商標）を添加して混ぜ合わせ有機質肥料、飼料及び固形燃料として利用可能なリサイクル製造物を製造するが、特に、有機質肥料及び飼料として使用しても安全な有機質肥料及び飼料にする。
【００４９】
ここで、バイオイオンバランス（登録商標）とは、乳酸菌、酵母菌、光合成菌及び放線菌から成る群から選択された１又は２以上の菌が作り出す生理活性物質に、海洋若しくは鉱物ミネラル等の総合ミネラル、アミノ酸、核酸、キトサン、ヒューマス又は海草ゲル等を加え熟成させた農業用土壌改良微生物資材である。
【００５０】
バイオイオンバランス（登録商標）について、より詳しく説明すると、バイオイオンバランス（登録商標）は、液剤と粉剤がある。
【００５１】
液剤では、生理活性物質を作り出す発酵の過程において、乳酸菌により乳酸が増えるとペーハーが酸性になり、そうすると乳酸菌は減っていき、乳酸が逆に酵母菌主体の発酵となり、さらに酵母菌が減ると、酢酸菌の発酵となる。即ち、乳酸菌→酵母菌→酢酸菌の順で変化する。ここで、菌の餌をなくす（具体的には、糖分などの餌を与えず餓死させる）と、菌自らの生理活性物質（酵素やアミノ酸など）だけになる。
【００５２】
粉剤は、光合成菌、放線菌及び枯草菌が混合されて製造されている。通常の食物残渣であれば液剤でよいが、あまりにも油分が多かったり油の酸化が進むようであれば粉剤を使用する。特に、肥料として、土壌線虫等が多い圃場では液剤と粉剤を使用することで、土壌処理の効果がアップする。
【００５３】
生理活性物質とは、ビタミン、ミネラル、核酸又は酵素など体の働きを調節する役割を持った物質のことで、わずかな量で生物の生体の特定の生理的機能に対して作用する性質をもつ化学物質である。
【００５４】
光合成菌とは、空気のない嫌気的な環境では光合成を行い、空気のある好気的な環境では光合成をせず、有機物から呼吸によりエネルギーを獲得する細菌であり、毒性物質を分解する能力がある。
【００５５】
放線菌とは、カビの菌糸のように細胞が長く放射状に伸びた形状をとる細菌であり、主に土壌中に生息する。放線菌は、農業で生産される堆肥中の主要菌で、生ゴミ処理過程でも優占する菌群である。放線菌の種類は非常に多く、抗生物質を生産する菌も多く存在する。
【００５６】
ヒューマスとは、古代から水中にあった堆積植物体の中で眠っていた細胞や微生物の働きを活発にし、発酵、分解又は再合成を繰り返したもので、多糖類、アミノ酸、ビタミン、カルボン酸、鉄、アルミニウム又はカルシウム等を含むバランスのとれた天然物である。
【００５７】
ところで、塩類を調整の意義は次のとおりである。乾燥資源には、人間の食べ物には塩分や油分が多い場合もあることから、そのまま有機質肥料及び飼料として使用し続けると障害の出る可能性がある。そこで、使用目的に合わせて、総合ミネラル、特殊糖蜜、マグネシウム、カルシウム又はケイ酸質資材などを添加して成分調整したり、塩分の中和又はｐＨの調整を行う。
【００５８】
成形工程では、撹拌混合工程で製造された有機質肥料、飼料及び固形燃料として利用可能なリサイクル製造物を、肥料、飼料等の用途、又はその用い型に応じて粉状、粒状、固形状又はペレット状にし、袋詰め等の包装をして製品として生産者５に出荷可能な状態とする。
【００５９】
このようにして製造された本考案に係る有機質肥料、飼料及び固形燃料として利用可能なリサイクル製造物は、肥料として用いた場合は、腐敗することなく土中で分解発酵するので、土壌のバランスも改善され、植物が栄養を吸収しやすくすることができる。飼料として用いた場合は、動物の腸内菌が活発となり、新陳代謝が盛んになることで、肉質や産卵が良くなり、排泄物の臭いも改善される。さらに、食べ残しがあっても分解されるし、土壌や水質の浄化能力も発揮される。
【００６０】
即ち、有機質肥料、飼料及び固形燃料として利用可能なリサイクル製造物を、肥料として使用した場合、乾燥資源に水分を加えると生の状態に戻り、腐ると有毒ガスの発生で植物の根に障害が出る可能性があるが、バイオイオンバランス（登録商標）が混合されているため、土の中で分解発酵へ導くことができる。
【００６１】
また、本考案に係る有機質肥料、飼料及び固形燃料として利用可能なリサイクル製造物を、飼料として使用した場合、飼料添加物として１％から２０％一般飼料と混合することができる。バイオイオンバランス（登録商標）の混合や乳酸発酵により、動物の腸内菌を活性化させ、飼育状態を良くする効果がある。
【００６２】
飼料については、動物が毎日食べる物であるので、油分が酸化せずに長期間保管できる状態を保つことが要求される。リサイクル製造物の油分は、バイオイオンバランス（登録商標）の酵素反応でゆっくり分解するため、安心して使用することができる。
【００６３】
本考案に係るリサイクル製造物は、土壌汚染や水質汚染の軽減などの効果もあり、添加することによりＢＯＤ（生物化学的酸素要求量）やＣＯＤ（化学的酸素要求量）の数値も大幅に下げることもできる。
【００６４】
以上、本考案に係る有機質肥料、飼料及び固形燃料として利用可能なリサイクル製造物の実施の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００６５】
本考案に係る有機質肥料、飼料及び固形燃料として利用可能なリサイクル製造物は、食物残渣資源リサイクルにおいて、排出事業所から排出された食物残渣資源から製造されるものであるが、農業、畜産業、水産業のそれぞれで肥料、飼料等として有用であり、農業、畜産業、水産業のそれぞれの用途に応じて、必要であれば、さらに添加物を加えて、用途により適合させて利用することも可能である。
【符号の説明】
【００６６】
２  事務局                                         
３  排出事業所                                     
４  リサイクルセンター                             
５  生産者                                         
６  販売代理店                                     
７  提携機関  
【図１】
0003156745.tif 000003
【図２】
0003156745.tif 000004